(57)【要約】【課題】  ゴルフのパターにおいて、パッティングのときに打球の位置をマークするマーカーの紛失を防止すること。【解決手段】  プラスチックで透明でゴルフボールよりも小径のケースと、このケースの上板の外周にケースと一体にした環状の立下りと、上板と立下りとで空間を構成し、前記上板の下方にゴルフボールよりも小径のマグネットを設けたもの。【選択図】図１
2020062363.tif 000002
【特許請求の範囲】
【請求項１】
プラスチックで透明でゴルフボールよりも小径のケースと、このケースの上板の外周にケースと一体にした環状の立下りと、上板と立下りで形成した空間とで構成し、前記上板の下方にゴルフボールよりも小径のマグネットを設けたマーカー。
【請求項２】
前記特許請求の範囲第１項記載のマーカーにおいて、
前記ケースは、透明なプラスチックなどで形成し、前記空間の下方を塞ぐ蓋体板を前記立下りに設け、前記上板と蓋体板との間には、写真、図形、又は、デザインされた文字などを描いたシートを挟持し、前記蓋体板の下面にマグネットを設けたマーカー。
【請求項３】
前記特許請求の範囲第１項記載のマーカーにおいて、
前記環状の立下りの外周にペイントを塗布したマーカー。
【請求項４】
プラスチックなどでケースを形成し、ケースの下方にゴルフボールの直径を超えない径のマグネットを具備したマーカーと、アルミニウムなどの非磁性体で成形したパターの上面にマグネットなどの磁性体を設け、前記マーカーのマグネットをパターのマグネットあるいは磁性体に磁力により接離したパター。
【請求項５】
金属や硬質プラスチックなどの弾性材で成形したクリップに、磁性体あるいはマグネットからなる磁石受けを設けたクリップ。
【請求項６】
前記特許請求な範囲第５項記載のクリップにおいて、
クリップは、半円形の屈曲部と、屈曲部に延在する上辺部と下辺部と、上辺部に設けた磁石受けと、上辺部の先端部と下辺部の先端部間に空隙部を形成し、上辺部と下辺部間の開拡を素振りするときの前後の傾斜角に合わせたものであるクリップ。
【請求項７】
金属や硬質プラスチックなどの弾性材で成形したクリップに、磁性体あるいはマグネットからなる磁石受けを設け、一方、ボールを指し示すマーカーに、マグネットあるいは磁性体を設け、前記クリップの磁性体あるいはマグネットに前記マーカーのマグネットあるいは磁性体を、磁力で接離するようにしたクリップ。
【発明の詳細な説明】
【技術分野】
【０００１】  本発明は、ゴルフにおいて、パッティングのときに、その打球位置をマークするコインやバッチ、あるいはそれに類するもの（以下、これらを総称してマーカーと称する。）と、このマーカーを磁力で保持するパター、同じく同様にマーカーを磁力で保持する磁石受けを有するクリップに関する。
【背景技術】
【０００２】  ゴルフにおいて、パッティングでストロークする場合は、打球（ボール）の位置にコインを置いて、次のストロークの目印とする。
コインとしては、比較的重い硬貨（コイン）が使用されるが、アルミ等の軽い硬貨は、風で飛ばされてボールの位置が分からなくなってしまうので余り使用されない。【０００３】  又、前記、コインやバッチなどのコイン類は、ポケットに入れて持ち歩くのであるが、コインを忘れたり、プレイ中に落としたりすることがあり、この場合は、ポケットの中で探すのに手間取り、他のパートナーに迷惑をかけることがある。
この場合、コインを他のパートナーから借りることになる。【０００４】  そこで本発明は、パッティングのときに、マーカーを他のコインと区別してポケットから取り出し易いようにしたり、マーカーをパターと一緒に取り出せるようにして前記課題を解消しようとしたものである。
従来、マーカーをパターと一緒に取り出すには、パターにマーカーを入れた子袋を紐で括り付けたり、パターの一部にマーカーを収納する空間を設けるなどが考えられていた。
しかし、前者及び後者も、マーカーを取り出すのに面倒で、現実性のないものであった。【０００５】  本発明は、前述の課題を解決し、マーカーを紛失する虞をなくし、マーカーをポケットからワンアクションで瞬時に取り出すことができるマーカー、又は、マーカーを磁力によって吸着保持するパター、あるいは同じく吸着保持するクリップを提供するものである。【０００６】  前記に関連した先行技術として、下記特許公報が提案されている。
この公報には、「パッティングにおいて、コインが落ちないようスムーズにストロークすることを容易とするゴルフパターに関する」（特許公報の項目番号０００１参照）と述べている。【０００７】  又、この特許公報には、コインが落ちないように、パターの窪みに、逸脱防止帯１１や逸脱防止キャップ１２を挿入するものが記載されている。
このように、この公報に記載の発明は、窪みに収納したコインの逸脱防止を狙った発明で、本発明のように、マーカー（コイン）を瞬時に取り出すことを指向したものはない。
【先行技術文献】
【特許文献】
【０００８】
【特許文献１】特許第６３１８３２１号公報を
【発明の概要】
【発明が解決しようとする課題】
【０００９】  特許文献１には、前述のように、特許公報の「０００１」に、「パッティングにおいて、コインが落ちないようスムーズにストロークすることが容易となるゴルフパター」であると明記されており、その目的とするところは、パッティングにおいて、「コインがパターから落ちないようにする」ことである。
そしてその構成は、特に、特許公報の特許請求の範囲に記載され、更に、図９にパターの側面にコイン出し入れ１３が示されている。【００１０】  従って、パッティングのときは、コインをパターの横から挿入しなければならない構成で、挿入した後はコインが落ちないようにしなければならないとしている。
言い換えれば、本発明が、パッティングのときはコインを取り出す必要がないのに対し、特許公報記載の発明は、コインが飛び出ないようにされているといえる。
又、コインの逸脱防止帯１１や逸脱防止キャップ１２新たに設ける必要があり、部品数が多くなるという課題を有する。
本発明は、これらの課題を解決するためになされたもので、他のコインと区別して簡単にポケットから瞬時に取り出すことができるマーカー、マーカーと磁力により着脱自在に一体化されたパター、及びクリップを提供することを指向するものである。【００１１】  本発明の主たる目的は、ゴルフのパッティングにおいて、ポケットから瞬時に取り出し、打球の位置をマークできる新規な構成のマーカー、マーカーをパターから瞬時に取り出すことができるパター、及び同様にクリップからマーカーを取り出すことができるマーカーを提供することである。
又、本発明の第二の目的は、ドライバーやアイアンの素振りのときに、正しい姿勢でボールを打つことができるように補助するマーカーと、このマーカーを吸着保持するクリップを提供するものである。
【課題を解決するための手段】
【００１２】  前記目的は、プラスチックで透明でゴルフボールよりも小径のケースと、このケースの上板の外周にケースと一体にした環状の立下りと、上板と立下りとによって形成した空間とで構成し、前記上板の下方にゴルフボールよりも小径のマグネットを設けたマーカーと、
前記環状の立下りの外周に塗布したペイントと、
プラスチックなどでケースを形成し、ケースの下方にゴルフボールの直径を超えない径のマグネットを具備したマーカーと、アルミニウムなどの非磁性体で成形したパターの上面にマグネットあるいは磁性板を埋設あるいは貼着して設け、前記マーカーのマグネットをパターのマグネットあるいは磁性板に磁力により着脱自在に吸着保持したマーカーを磁力より保持したパターと、
プラスチックなどでケースを形成し、ケースの上板の外周に上板と一体にして環状の立下りを形成し、前記上板と環状立下り間に空間を形成し、この空間の下方にゴルフボールの直径を超えない径のマグネットを設けたマーカーと、一方、金属や硬質プラスチックなどの弾性材で成形したクリップに前記マーカーのマグネットを受ける磁石受けを設け、前記マーカーのマグネットをクリップの磁石受けに、磁力により着脱自在に吸着保持したクリップと、
によって達成できる。
【発明の効果】
【００１３】  本発明は前記手段により、ゴルフのパッティングにおいて、パッティングするときに、瞬時に打球の位置をマークできるマグネットを備えた新規な構成のマーカー、マグネットを利用してマーカーをパターから磁力で瞬時に取り出すことができるパター、同じくマグネットを設けたマーカーを、磁力によって吸着保持するクリップを提供することができる。
又、ドライバーやアイアンで素振りするときやパッティングのとき時に、正しい姿勢で打てるマーカーと、同じく正しい姿勢で打てるように補助するクリップを提供することができるものである。
【図面の簡単な説明】
【００１４】
【図１】本発明の一実施例を示すマーカーの平面図。
【図２】図１のＡ−Ａ断面図。
【図３】同じく図１のＢ−Ｂ断面図。
【図４】同じく底面図。
【図５】マーカーの他の実施例の平面図。
【図６】図５のＣ−Ｃ断面図。
【図７】同じく図５のＤ−Ｄ断面図。
【図８】同じく底面図。
【図９】パターの一実施例の平面図。
【図１０】図９のＥ−Ｅ断面図。
【図１１】同じく図９のＦ−Ｆ断面図。
【図１２】同じく底面図。
【図１３】同じくパターの他の実施例の平面図。
【図１４】同じく図１３のＧ−Ｇ断面図。
【図１５】同じく図１３のＨ−Ｈ断面図。
【図１６】同じく底面図。
【図１７】同じくパターの他の実施例の平面図。
【図１８】図１７のＩ−Ｉ断面図。
【図１９】同じく図１７のＪ−Ｊ断面図。
【図２０】同じく底面図。
【図２１】一実施例クリップの平面図。
【図２２】同正面図。
【図２３】同側面図。
【図２４】同底面図。
【図２５】クリップを用いてスイングする状態の側面図。
【図２６】同じく正面図。
【図２７】本発明のマーカーをパターに載置した平面図。
【図２８】同じく他の例の平面図。
【図２９】同じく他の例の平面図。
【発明を実施するための形態】
【００１５】  以下、本発明の一実施例、及び、他の実施例を図面に基づいて説明する。
図１乃至図４は、ゴルフでパッティングをする場合の、打球の位置を示すマーカーを示している。図１は、マーカーの平面図、図２と図３はそれぞれの断面図で、図４は底面を示す。
【００１６】  図において、１０は、パッティングで打球の位置をマークするマーカーである。マーカー１０は、透明のプラスチックで円板状に成形され、コインと同等の大きさで、ボールの直径を超えないケース本体１１で構成されている。又、このケース本体１１の上板１２の周縁には、上板１２と一体化された環状の立下り１３が形成されている。
【００１７】  前記立下り１３の内側には、空間が形成され、この空間の下方の開放部には蓋体１４を設け、この蓋体１４と前記上板１１間にシート１５を挟持するようにしている。前記蓋体１４は、シート１５を取り出し可能にするために前記立下り１３に螺合している。
シート１５の表面には、記念写真やスポンサーの宣伝、好みの風景やペットの写真などをプリントし、自己のボールの所在を明らかにするようにする。
【００１８】  １６は、蓋体１４の下面に強固に貼着した円板状のマグネットで、後述するパターＰに設けたマグネットに吸着保持される。円板状のマグネットは、四角や六角状でもよく、ポケットの中で手に触れたときに他のコインと区別できる形状であれば任意である。
吸着力は、パッティングするとき、マーカー１０をパターから瞬時に離脱することができるように余り強くない吸着力としてある。
１７は、ケース本体１１の立下り１３の外周に塗布したペイントで、これは、クラブやアイアンの素振りのときやパッティングのときの身体の前後の姿勢や左右の傾きを目視で確認するためのものである。
前記マーカー１０は、コインと同等の厚さとして、他のパートナーのボールの転がりを妨げないようにする。又、マグネット１６は、マーカー１０が、風で飛ばないように重しの役目もしている。
【００１９】  又、このマーカー１０は、流通しているコインとは、大きさや厚さ、形状などが相違するようにして、ポケット内に入れたとき他のコインと区別して迅速に取り出せることができるようにする。
故に、パターの進行を妨げて他のパートナーに迷惑をかけることがなく、楽しくゴルフをすることができる。
更に、前述のマーカー１０は、記念としてプレゼトに供することもできる。
【００２０】  クラブの素振りのときやパターのときは、身体の姿勢が問題になる。
インパクトのとき、正しい姿勢で打てば、真っ直ぐ飛び、ミスは少なくなる。姿勢が悪いとボールはスライスやフックになり、正しい方向には飛ばず、スコアを悪くしてしまう。
本発明は、マーカー１０の立下り１３の外周にペイント１７を塗布して、アドレスの姿勢が正しいか否かを確認できるようにしたものである。
【００２１】  ペイントが見えれば姿勢が悪いのであり、ペイント１７が見えない場合は、姿勢が正しいといえる。
身体が傾いていれば、傾きを修正すればよい。
正しい姿勢でボールを打つことが出来ればボールは正しい方向に飛ぶので、スコアがよくなる。従って、結果的に、ゴルフが楽しくなるものである。
【００２２】  図５乃至図８は、スイング（素振り）やパッティングのときに、身体をパターやクラブに対し垂直に補助することが可能になる他の実施例のマーカーを示す。
【００２３】  次に、具体的な構成について説明する、
前記マーカー２０は、通常使用されているコインよりも分厚く、プラスチックや非磁性体の円板状本体２１で大構成される。そして、円板状本体２１の上面には、上方から見て太鼓型の突起部２２が形成されている。
突起部２２は、形状がコインとは違うので、ポケットに手を入れたとき手の感触で瞬時に区別でき、迅速に取り出すことができる。
【００２４】  突起２２の左右端縁は切り欠いて、その切欠面２３にペイント２４を塗布している。ペイント２４は、赤、黄色や橙色、あるいはピンクなど、できるだけ目立つ色とする。好ましくは蛍光塗料が良い。
又、２５は、円板状本体２１の外周に、前記一実施例と同様に塗布したペイントである。
２６は、前述の一実施例と同様に、円板状本体２１の下面に貼着、あるいは埋設されたマグネットで、後述するパターに設けられた磁性板あるいはマグネットに吸着保持されるものである。
【００２５】  この状態において、クラブをスイングするときやパターのストロークのとき、身体が左に傾いていれば、円板状本体２１の左のペイント２４と切欠面のペイント２５が見え、反対に円板状本体２１の左のペイント２４と切欠面のペイント２５が見えず、反対に、身体が右に傾いていれば、右のペイント２４、２５が見え、左のペイント２４、２５が見えないので、結果として身体が左右に傾いていることが確認できる。
このように、両方のペイント２４，２５が見えなくなったときが正しい姿勢であることが分かる。
【００２６】  前記一実施例がケース本体１１の外周のみに塗料１７を塗布にしているのに対し、この実施例では、円板状本体２１の外周に塗布したペイント２５に加え、突起部２２の切欠面２３にもペイント２４を塗布したので、身体の傾き、すなわち垂直状態を両方で、より正しく確認できるものである。
尚、これらのペイント２３、２４やペイント２５は、一方あるいは両者を設けるか否かは任意に選択できる事項である。
又、前記において、身体の垂直度の精度を向上するには、突起部２２の高さ、すなわち切欠面２３の高さや円板状本体２１の厚さを可及的に高くすればよい。
【００２７】  前記第一実施例や他の実施例のマーカーは、通常流通しているコインと厚さや形状が相違するので、ポケットにコインと一緒に入れてもマーカーを他のコインと区別でき、迅速にポケットから取り出すことができる。
上記マーカー１０及び２０はそれ自体でも単独に使用できるが、パターと一体にして持ち運ぶことができるパターについて次に説明する。
【００２８】  次に、非磁性体で成形されているバターの例を図９乃至図１２で説明する。
図において、Ｐは、非磁性体で成形され仮想線で示したパターである。そして、パターＰの上面には、先に述べたパター１０、２０を磁力より吸引保持するマーカー受け３０を、パターＰに形成した凹陥部３１に嵌合し保持している。
【００２９】この凹陥部３１の底には、ボールと同径の図形を描いたシート３２を貼着する。ボールの図形は、ボールと同径（同形）であれば、好みの図柄であってもよく、一色であっても差し支えない。
前記、凹陥部３１の外周縁は立ち上がりになっており、前記シート３２の横方向の移動を阻止するようになっている。
立ち上がりの高さδは、シート３２が離脱しなければいいのであり、その寸法は問わない。
又、凹陥部３１の大きさを吸着保持するマーカー１０や２０の大きさより若干大きくすれば、マーカーの横方向の離脱を防ぐことができる。
３３は、マグネットで、前述の、図１乃至図４に記載したマーカー１０、あるいは、図５乃至図８記載にしたマーカー２０を吸着し、保持する。
マーカー１０や２０をマグネット３３で吸着保持していれば、マーカーはパターと一体になり、マーカーの紛失を防止することができる。更に、マーカーを吸引解除して迅速に取り出すことができる。
【００３０】  尚、シート３２を磁性材の薄板とすれば前記マグネット３３は不要となる。すなわち、シート３２を鋼板で構成すれば、マーカーに取り付けてあるマグネット１６や２６を吸着保持できるようになる。
もちろん、マグネット３３を設けていればシートは非磁性体でも良い。
又、パター３０の凹陥部３１の底に、ボールと同じ大きさの図柄を描いておけば、ボールの位置合わせが容易になり、バターの精度が向上する。
そして、パターのときは、マーカー受け３０に吸着保持されている前記マーカー１０や２０（いずれも図示せず）を離脱して、マーカーをボールの落下位置に置き、マークするようにする。
【００３１】  図１３乃至図１６は、パターの他の実施例である。
図において、Ｐはパターで、前記と同様非磁性体で成形されている。前述のマーカー１０や２０を磁気によって吸着保持するマーカー受け４０は、パターＰに形成した凹陥部４１に嵌合保持されている。
マーカー受け４０は、プラスチックで成形されたケース４２で大構成されている。ケース４２は、パターの表面から少しだけ突出させ、前述のマーカー１０、２０とマーカー受け４０との位置合わせを容易にしている。
ケース４２内には、円形のマグネット４３と、これを挟持する蓋体４４が設けられている。
マグネット４３は、マーカーのマグネット１６や２６を吸引するためのものであるので、磁性体でもよい。
【００３２】  本発明は前述のようにパターＰにマーカー受け４０を設けているので、前述のマーカー１０及び２０はマーカー受け４０に吸引保持されて一体的になり、パターＰを取り出せばマーカーが付いてくる。
従って、ゴルフをするときマーカーを忘れる心配がなくなる。
そして、パターのときは、パターのときは、マーカー受け４０に吸着保持されている前記マーカー１０や２０（いずれも図示せず）を離脱して、マーカーをボールの落下位置に置き、マークするようにする。
【００３３】  図１７乃至図２０は、パターの同じく他の実施例であるに
図において、Ｐは、前記と同様に非磁性体で成形されたパターである。５０は、前記と同様に吸引保持されたマーカー受けで、鉄などの磁性体で形成され、パターＰに形成された凹陥部５１に嵌合支持されている。
又、マーカー受け５０は、粉末合金でマグネットを成形してもよい。粉末合金は、形状が自由に成形でき、図示では、マーカー受け５０の上方に太鼓状の突起５２を設けているものである。
前述のように、マーカー１０や２０は、マーカー受け４０に吸引支持されて一体的になり、パターＰを取り出せばマーカーが付いてくるようになる。
従って、ゴルフをするときマーカーを忘れる心配がなくなる。
そして、パターのときは、マーカー受け５０に吸着保持されている前記マーカー１０や２０（いずれも図示せず）を離脱して、マーカーをボールの落下位置に置き、マークするようにする。
【００３４】  次に、本発明の他の実施例として、図２１乃至図２４のクリップについて説明する。
図において、６０は、ゴルフで使用する帽子に着脱自在に取り付けるクリップで、燐性銅板のようなバネ材で、Ｕ字状に半円形状に折り曲げて成形する。バネ材で成形するクリップは、安定的に担持するために可及的幅広に成形する。
６１は、その屈曲部を示している。６２は、この屈曲部６１から図面上で上方に延在する上辺部、６３は、下方に延在する下辺部である。
６４は、上辺部６２の先端部と、下辺部６３の先端部間の僅少に形成された空隙で、クリップを帽子の縁に挟んで取り付けるためのものである。尚、この空隙６４は、帽子の縁への挟持力を調整するためのものであり、空隙は無くてもよい。又、上辺部と下辺部の先端付近はフラットとし、挟持力を高めているものであり、又、保持力は任意に調整できる。
【００３５】  又、前記の上辺部６２と下辺部６３の開拡は、図示の如くプレイヤーの前後の理想的な傾斜α１に合わる。尚、この角度は、プレイヤーによって前後に調整できる。
【００３６】  ６５は、前述のマーカー１０、２０のマグネット１６、２６を吸着し保持する磁石受けで、前記マーカーのマグネット１６や２６と同径の鉄などの磁性体で構成する。
尚、この磁石受けは、マグネットで構成してもよい。
【００３７】  そして、パターに際しては、クリップ６０を帽子（図示せず）から外し、マーカー１０や２０をクリップ６０の磁石受け６５から離して、ボールの位置にマーカーを置き、マークするだけでよい。
【００３８】  本発明のクリップの例では、クリップがゴルフ用の帽子に取り付けられているので、ゴルフに出かけるとき、帽子を忘れない限り、マーカーも忘れることがない。
又、ドライバーの素振りやパターのときに、プレイヤーはクリップに付いているマーカー１０や  ２０を瞬時に取り出すことができ、ポケット内で慌てマーカーを探す必要がなく、他のパートナーに迷惑をかけることがない。
【００３９】  図２５と図２６は、クリップ６０を使用してドライバーやアイアンでスイングするときやパターをするときの状態を示すもので、図２５は前後の傾斜状態を示しており、図２６は、左右の傾斜状態を示す。
ドライバーで素振りをするときは、図２５に示すように、クリップ６０を水平な地面や芝面の上に、ボールの手前近傍にα１°で置く。そして、クリップ６０に載置したマーカー１０の外周のペイント１７が見えなくなる位置まで身体の姿勢を正すようにすればアドレスを失敗する可能性は少なくなる。
【００４０】  一方、図２６のように、身体が左右にα°を超えて傾いていれば失敗する可能性が大きい。すなわち、これはパターＰのフェースがボールに正対していないからである。
本発明は、左右の傾きを確認するために、図１のマーカー１０の外周にペイント１７を塗布し、図５に、マーカー２０の外周、あるいは切欠面にペイント２４、２５を塗布し、身体７１の傾斜をこれらのペイントが見えるか否かで確認できるようにしたものである。
図２５の例では、身体がα°以内の傾きであれば前記ペイント１７、２４、２５が見えないので正常であり、身体の傾きがα°を超えた場合はペイントが見えるので正しい姿勢とは言えない。すなわち、正しい姿勢の確認をすることができる。
【００４１】  図２７乃至図２９には、それぞれパターＰの表面に形成された凹陥部（図示せず）に前記マーカー１０や２０をそれぞれ磁力により吸着保持した例で、それぞれ上面図を示す。
以下説明すると、図２７は、二つのマーカー１０や２０をパター３０に吸着保持したもの、図２８は、二つの凹陥部の一方にマーカーを吸着保持したもの、図２９は、パターに形成した一つの凹陥部に一つのマーカーを吸着載置したものである。
【００４２】  図２７の、例えば、一方のマーカーには文字記号を表示し、他方のマーカーにはプレイヤー自身の写真などを貼り付けてある。そして、この図では、ボールと同径のマーカーとしているので、パターの方向が正確に把握でき、バターの位置合わせの精度が向上する。
図２８も同様の作用、効果を有する。図２９は、一個のマーカーの表面に絵柄や写真を貼り付けた例である。
【００４３】  前記のほかに、マーカーをパターに着脱自在に取り付けたので、マーカーの重さを自由に調整することができ、結果として、パターの重さを調整することができ、パッティング精度が向上する。
又、図２７、２８の例では、マーカーを一つ紛失しても一つ残っているので、ゴルフをつづけることができる。
前記の一実施例では、マーカーにマグネットを設け、パターに磁石受けを磁性体を設けたが、マーカーに磁性体を設け、パターにマグネットを設けてもよく、磁力で相互に吸着できれば良いのは当然である。
【００４４】  以上述べたように、本発明は、ゴルフのパターにおいて、パッティング時に打球の位置をマークする新規な構成のマーカー、瞬時にマーカーを取り出すことができるパター、及びクリップを提供することができたものである。
尚、本発明は、前述の一実施例構成に限定されるものではなく、種々の変形や応用例も含まれることは言うまでもない。
【符号の説明】  １０…マーカー、１１…ケース本体、１２…上板、１３…立下り、１４…蓋体、１５…シート、１６…マグネット、１７…ペイント、２０…マーカー、２１…円板状本体、２２…突起部、２３…切欠き面、２４、２５…ペイント、２６…マグネット、Ｐ…パター、３０…マーカー受け、３…凹陥部、３２…シート、３３…マグネット、４０…マーカー受け、４１…凹陥部、４２…ケース、４３…マグネット、４４…蓋体、５０…マーカー受け、５１…凹陥部、５２…突起、６０…クリップ、６１…屈曲部、６２…上辺部、６３…下辺部、６４…空隙、６５…磁石受け、７０…頭部、７１…身体
【図１】
2020062363.tif 000003
【図２】
2020062363.tif 000004
【図３】
2020062363.tif 000005
【図４】
2020062363.tif 000006
【図５】
2020062363.tif 000007
【図６】
2020062363.tif 000008
【図７】
2020062363.tif 000009
【図８】
2020062363.tif 000010
【図９】
2020062363.tif 000011
【図１０】
2020062363.tif 000012
【図１１】
2020062363.tif 000013
【図１２】
2020062363.tif 000014
【図１３】
2020062363.tif 000015
【図１４】
2020062363.tif 000016
【図１５】
2020062363.tif 000017
【図１６】
2020062363.tif 000018
【図１７】
2020062363.tif 000019
【図１８】
2020062363.tif 000020
【図１９】
2020062363.tif 000021
【図２０】
2020062363.tif 000022
【図２１】
2020062363.tif 000023
【図２２】
2020062363.tif 000024
【図２３】
2020062363.tif 000025
【図２４】
2020062363.tif 000026
【図２５】
2020062363.tif 000027
【図２６】
2020062363.tif 000028
【図２７】
2020062363.tif 000029
【図２８】
2020062363.tif 000030
【図２９】
2020062363.tif 000031